(57)【要約】      （修正有）【課題】薬用瓶の瓶口を封止している口金を安全に且つ容易に外すことができる薬用瓶の口金外し具の提供する。【解決手段】口金３の円筒突起部３ａが、その内部に嵌入可能な円筒状であって円筒突起部３ａよりも長い押圧部１１と、押圧部１１の下端部に、その周辺方向に延在するように設けられた中空円盤状であって、その外径が口金３の上面部の外径よりも大きい底面部１２とを具え、底面部の周縁部には、周縁部に沿って下側方向に延在するカバー部１３が設けられている。【選択図】図２
0003169034.tif 000002
【実用新案登録請求の範囲】
【請求項１】
瓶口がゴム栓によって閉塞されている薬用瓶の当該瓶口の上部が、上面部の中央部に円筒突起部を有する口金によって封止されている薬用瓶の口金外し具であって、
前記口金の円筒突起部が、その内部に嵌入可能な円筒状の押圧部であって前記円筒突起部の長さよりも長い長さを有する押圧部と、
該押圧部の下端部に、その周辺方向に延在するように設けられた中空円盤状の底面部であって、その外径が前記口金の上面部の外径よりも大きい底面部とを具え、
前記底面部の周縁部には、当該周縁部に沿って下側方向に延在するカバー部が設けられていることを特徴とする薬用瓶の口金外し具。
【請求項２】
前記カバー部は、前記底面部の周縁部に、その全周に亘って設けられていることを特徴とする請求項１に記載の薬用瓶の口金外し具。
【考案の詳細な説明】
【技術分野】
【０００１】
本考案は、薬液等を収納する薬用瓶、殊に手術室等で主に使用される薬液等を収納する薬用瓶の口金外し具に関するものである。
【背景技術】
【０００２】
以前、手術室等で主に使用される薬液等を収納して保存する容器としてはアンプルが広く用いられていた。
【０００３】
しかしながら、このようなガラス製のアンプルには、薬液等の使用に際してアンプルを開けたときに、開封部分の細かいガラス片が内部の薬液等に混入してしまう虞があることから、このアンプルに代わる容器として、図９に示したような開封しやすい構成の口金３を容器キャップとする薬用瓶２が従来から広く用いられている。
【０００４】
図９において、１は薬液、２は薬用瓶であり、薬用瓶２の瓶口はゴム栓によって閉塞されており、その瓶口の上部は口金３によって封止されている。この口金３の上面部の中央部には、上面が閉塞している円筒状の円筒突起部３ａが形成されている。
【０００５】
薬液１の使用に際しては、図１０に示したように、使用者が円筒突起部３ａの側面を指で押圧すると、口金３の側面部にあらかじめ形成されている切り裂き筋の部分から口金３が裂けるので、使用者は裂けた口金３を図１１に示すように外して、瓶口を閉塞しているゴム栓４を取り除いて、薬用瓶２に収納されている薬液１を使用する。
【考案の概要】
【考案が解決しようとする課題】
【０００６】
以上のように構成されている薬用瓶に関しては、以下のような問題点があった。すなわち、従来、このような円筒突起部３ａを有する口金３を外す際には、円筒突起部３ａの側面を強い力で押さなければならないため、使用者の力加減や押圧方向によっては、指が滑って裂けた口金３に手が当って怪我をしたり、薬用瓶２の瓶口のガラスが欠け、その部分に手が当って怪我をするという虞があった。
【課題を解決するための手段】
【０００７】
以上の問題点を解消するために、本考案は、瓶口がゴム栓によって閉塞されている薬用瓶の当該瓶口の上部が、上面部の中央部に円筒突起部を有する口金によって封止されている薬用瓶の口金外し具であって、前記口金の円筒突起部が、その内部に嵌入可能な円筒状の押圧部であって前記円筒突起部の長さよりも長い長さを有する押圧部と、該押圧部の下端部に、その周辺方向に延在するように設けられた中空円盤状の底面部であって、その外径が前記口金の上面部の外径よりも大きい底面部とを具え、前記底面部の周縁部には、当該周縁部に沿って下側方向に延在するカバー部が設けられていることを特徴とするものである。ここで、前記カバー部は、前記底面部の周縁部に、その全周に亘って設けられていてもよい。
【考案の効果】
【０００８】
本考案によれば、薬用瓶の瓶口を封止している口金を安全に且つ容易に外すことができる。
【図面の簡単な説明】
【０００９】
【図１】本考案の実施例１の構成を示す斜視図である。
【図２】本考案の実施例１の構成を示す断面図である。
【図３】本考案の実施例１の使用方法を示す説明図である。
【図４】本考案の実施例１の使用方法を示す説明図である。
【図５】本考案の実施例１の変形例の構成を示す斜視図である。
【図６】図５に示した本考案の実施例１の変形例の構成を示す断面図である。
【図７】図５に示した本考案の実施例１の変形例の使用方法を示す説明図である。
【図８】図５に示した本考案の実施例１の変形例の使用方法を示す説明図である。
【図９】従来の薬用瓶の構成を示す斜視図である。
【図１０】従来の薬用瓶の使用方法を示す説明図である。
【図１１】従来の薬用瓶の使用方法を示す説明図である。
【考案を実施するための形態】
【００１０】
以下、図面を用いて本考案の実施例について説明する。
【実施例１】
【００１１】
図１は、本考案の実施例１の構成を示した斜視図であり、図２は本実施例１を薬用瓶２の上部に装着した状態の断面図である。
【００１２】
図１，図２に示すように、本実施例１に係る口金外し具１０は、円筒状の押圧部１１と、中空円盤状の底面部１２と、カバー部１３とによって構成されている。
【００１３】
図２に示すように、押圧部１１は、その内部に口金３の円筒突起部３ａが嵌入可能な円筒形状に選ばれており、その長さは、円筒突起部３ａの長さよりも長くなるように選ばれている。
【００１４】
底面部１２は、押圧部１１の下端部にその周辺方向に延在するように形成された中空円盤の形状になっていて、その外径は、口金３の上面部の外径よりも大きくなるように形成されている。
【００１５】
カバー部１３は、底面部１２の周縁部に当該周縁部に沿って下側方向に延在するように形成されている。
【００１６】
本実施例１を使用する場合には、図２に示したように本実施例１を薬用瓶２の上部に装着して、図３，図４に示したように、押圧部１１の側面を使用者は指で押圧すればよい。
【００１７】
図３，図４に示したように本実施例１を装着した場合には、てこの原理により、従来に比して小さな力で口金３を外すことができる。また、この際、使用者の手はカバー部１３によって保護されているので、使用者が手に怪我をするようなことはない。
【００１８】
以上、説明した実施例１においては、カバー部１３が底面部１２の周縁部にその全周に亘って形成されているが、このカバー部１３は底面部１２の周縁部に全周に亘って形成する必要はなく、例えば図５に示すように底面部１２の周縁部に半周に亘って形成するようにしてもよい。また、図５に示すように底面部１２は厚みを有する中空円盤の形状としても本考案の効果を得ることができる。
【００１９】
図６は、図５に示した構成の口金外し具１０を薬用瓶２の上部に装着した状態の断面図を示したものであり、図７，図８は、先に説明した図３，図４に対応する使用状態を示した図である。
【符号の説明】
【００２０】
１  薬液
２  薬用瓶
３  口金
３ａ  円筒突起部
４  ゴム栓
１０  口金外し具
１１  押圧部
１２  底面部
１３  カバー部
【図１】
0003169034.tif 000003
【図２】
0003169034.tif 000004
【図３】
0003169034.tif 000005
【図４】
0003169034.tif 000006
【図５】
0003169034.tif 000007
【図６】
0003169034.tif 000008
【図７】
0003169034.tif 000009
【図８】
0003169034.tif 000010
【図９】
0003169034.tif 000011
【図１０】
0003169034.tif 000012
【図１１】
0003169034.tif 000013